(57)【要約】【課題】水槽内で飼育している各種大小の魚類やカニ、エビ等が放出する糞便や、残餌その他水中に存する汚れを、水中で自然に落下させて下方に集約させ、当該汚れた水は濾過して水槽に戻し、水槽の掃除や水の交換作業が著減され、製造コストの低廉化も図る。【解決手段】上槽１と、同上槽１の直下に連接された中槽２を備えた濾過水槽であって、上槽１の底板１０には、所定大きさ・形状の貫通孔１２が多数形成されていると共に、中槽２は逆四角錐体状に形成されており、上槽１の水中に存する魚類８の糞９や残餌９’等は、前記底板１０の貫通孔１２を通過し逆四角錐体状中槽２の内部２０に自然落下自在である。【選択図】       図１
0003129969.tif 000002
【実用新案登録請求の範囲】
【請求項１】
上槽と、同上槽の直下に連接された中槽を備えた濾過水槽であって、前記上槽の底板には、所定大きさ・形状で上下方向に貫通する貫通孔が多数形成されていると共に、前記中槽は逆四角錐体状に形成されており、上槽の水中に存する魚の糞や残餌等は、前記底板の貫通孔を通過し逆四角錐体状中槽の内部に自然落下自在に構成されていることを特徴とする、魚の糞等の自然落下式濾過水槽。
【請求項２】
上槽と、同上槽の直下に連接された中槽と、同中槽の下方に設置された下槽を備えた濾過水槽であって、前記上槽の底板には、所定大きさ・形状で上下方向に貫通する貫通孔が多数形成され、前記中槽は、逆四角錐体状に形成され、その下底部と前記下槽とが濾過装置を介して第１パイプで接続されていると共に、下槽内の循環ポンプに接続された第２パイプが上槽の上部に配設されており、上槽の水中に存する魚の糞や残餌等は、前記底板の貫通孔を通過し自然落下され逆四角錐体状中槽の中央下底部の一箇所に集約されつつ、当該魚の糞や残餌等を含んだ水が、第１パイプ、濾過装置、下槽、第２パイプを通じて濾過され上槽内に注がれて循環自在に構成されていることを特徴とする、魚の糞等の自然落下式濾過水槽。
【請求項３】
中槽は、逆多角錐体状又は逆円錐体状に形成され、単体又は複数個の複合体で成ることを特徴とする、請求項１又は２に記載した魚の糞等の自然落下式濾過水槽。
【請求項４】
底板の貫通孔の開口上部は、魚の糞や残餌等を受けるに必要かつ十分な幅寸の円形状で、且つ下方に漸次幅狭く傾斜するテーパー状に形成されていることを特徴とする、請求項１又は２に記載した魚の糞等の自然落下式濾過水槽。
【請求項５】
底板の上面の外周に内部磁石が固着されており、上槽の側壁を挟んで別設の外部磁石が前記底板の内部磁石と磁力で接合されつつ揺動されるに従って底板が揺動自在に構成されていることを特徴とする、請求項１又は２又は４に記載した魚の糞等の自然落下式濾過水槽。
【請求項６】
中槽の内側面に磁石付きクリーナーが配置され、そのクリーナーの磁石に磁力で接合された外部磁石が当該中槽の外側面に配置されており、前記外部磁石の移動によりクリーナーが中槽の内側面を移動しつつクリーニング自在に構成されていることを特徴とする、請求項１又は２又は３に記載した魚の糞等の自然落下式濾過水槽。
【請求項７】
中槽の下底部には、開栓可能な継手が設置され、当該継手に第１パイプが接続されていることを特徴とする、請求項１又は２又は３又は６に記載した魚の糞等の自然落下式濾過水槽。
【考案の詳細な説明】
【技術分野】
【０００１】
本考案は、水槽の清掃を著減し管理が簡単な魚の糞等の自然落下式濾過水槽に属し、さらに言えば、観賞用や食用として、家庭や学校、ホテルや水族館その他の施設で設置される水槽や、飲食店に設置される水槽や生簀等さまざまなシーンで使用される濾過水槽の技術分野に関する。
【背景技術】
【０００２】
家庭で熱帯魚を飼う場合、水を入れた水槽の中に熱帯魚を入れるが、時間が経つとその熱帯魚が放つ糞便や、熱帯魚が食べた餌の残りや、藻が発生したりして水槽内が汚れる。そのため、水槽内の熱帯魚を一旦外に移し、水槽内をブラシ等の清掃具で擦って掃除し、新しい水を水槽に入れ、カルキ抜きをし、水温を所定温度に維持した後に熱帯魚を水槽に戻す、といった水槽の清掃作業を定期的に行っているのが一般である。
【０００３】
上記した従来一般の水槽の清掃作業は、重たい水槽を動かしながら行う清掃や大容量の水の交換作業を伴い大がかりで重労働となるので、これら清掃作業の軽減化を図った濾過装置等の手段が開発されてきている。
【０００４】
例えば、特公平７−２８６３０号特許公報には、鑑賞魚を飼育する水槽内に配設されて水槽内の水の汚濁を防止するものであって、上下に連通するスリットを有する濾過装置部と、この濾過装置部を水槽の底面から離隔して位置決めする脚部とからなり、鑑賞魚の糞便等水槽汚濁の主因となるものが、鑑賞魚自身の動きにより発生する水流作用で、上記濾過装置部のスリットから水槽の底面に落下し沈殿するように構成されている水槽汚濁防止用濾過装置が開示されている。
【特許文献１】特公平７−２８６３０号特許公報
【考案の開示】
【考案が解決しようとする課題】
【０００５】
前記特公平７−２８６３０号特許公報に開示された水槽汚濁防止用濾過装置は、鑑賞魚の糞便等は、当該魚類の動きにより発生する水流作用で、細長いスリットを有する濾過装置部を通過させるので、糞便等が濾過装置部を通過する確実性に欠ける。また、濾過装置部を通過して、水槽の底面に沈殿している糞便等が、水流によって巻き上げられて再び濾過装置部を上昇する可能性も否めない。
【０００６】
しかも、水槽の底面に沈殿した魚の糞便等は、サイフォン構造の吸出ポンプを使用して除去しなければならず、その除去作業が相変わらず面倒で煩わしい。
【０００７】
したがって、本考案が解決しようとする課題は、水槽内で飼育している各種大小の魚類やカニ、エビ、貝、イカ等が放出する糞便や、食べた餌の残りその他水中に存する汚れを、水中で自然に落下させて下方に集約させ、当該汚れた水は濾過して水槽に戻し、水槽の掃除や水の交換作業が著減され、飼育する者が水や魚の糞等の汚れに触れずに水質を保持して管理できる上、製造コストの低廉化も図った魚の糞等の自然落下式濾過水槽を提供することにある。
【課題を解決するための手段】
【０００８】
上記課題を解決するための手段として、請求項１記載の考案に係る魚の糞等の自然落下式濾過水槽は、上槽１と、同上槽１の直下に連接された中槽２を備えた濾過水槽であって、前記上槽１の底板１０には、所定大きさ・形状で上下方向に貫通する貫通孔１２が多数形成されていると共に、前記中槽２は逆四角錐体状に形成されており、上槽１の水中に存する魚類８の糞９や残餌９’等は、前記底板１０の貫通孔１２を通過し逆四角錐体状中槽２の内部２０に自然落下自在に構成されていることを特徴とする。
【０００９】
請求項２記載の考案に係る魚の糞等の自然落下式濾過水槽は、上槽１と、同上槽１の直下に連接された中槽２と、同中槽２の下方に設置された下槽３を備えた濾過水槽であって、前記上槽１の底板１０には、所定大きさ・形状で上下方向に貫通する貫通孔１２が多数形成され、前記中槽２は、逆四角錐体状に形成され、その下底部２１と前記下槽３とが濾過装置４を介して第１パイプ５で接続されていると共に、下槽３内の循環ポンプ３０に接続された第２パイプ６が上槽１の上部１３に配設されており、上槽１の水中に存する魚類８の糞９や残餌９’等は、前記底板１０の貫通孔１２を通過し自然落下され逆四角錐体状中槽２の中央下底部２１の一箇所に集約されつつ、当該魚類８の糞９や残餌９’等を含んだ水７が、第１パイプ５、濾過装置４、下槽３、第２パイプ６を通じて濾過され上槽１内に注がれて循環自在に構成されていることを特徴とする。
【００１０】
請求項３記載の考案に係る魚の糞等の自然落下式濾過水槽は、前記中槽２が、逆多角錐体状又は逆円錐体状に形成され、単体又は複数個の複合体で成ることを特徴とする。
【００１１】
請求項４記載の考案に係る魚の糞等の自然落下式濾過水槽は、前記底板１０の貫通孔１２の開口上部１１が、魚類８の糞９や残餌９’等を受けるに必要かつ十分な幅寸ｗの円形状で、且つ下方に漸次幅狭く傾斜するテーパー状に形成されていることを特徴とする。
【００１２】
請求項５記載の考案に係る魚の糞等の自然落下式濾過水槽は、前記底板１０の上面１０ａの外周に内部磁石１４が固着されており、上槽１の側壁１６を挟んで別設の外部磁石が前記底板１０の内部磁石１４と磁力で接合されつつ揺動されるに従って底板１０が揺動自在に構成されていることを特徴とする。
【００１３】
請求項６記載の考案に係る魚の糞等の自然落下式濾過水槽は、前記中槽２の内側面２２に磁石２４付きクリーナー２５が配置され、そのクリーナー２５の磁石２４に磁力で接合された外部磁石２６が当該中槽２の外側面２３に配置されており、前記外部磁石２６の移動によりクリーナー２５が中槽２の内側面２２を移動しつつクリーニング自在に構成されていることを特徴とする。
【００１４】
請求項７記載の考案に係る魚の糞等の自然落下式濾過水槽は、前記中槽２の下底部２１に開栓可能な継手２８が設置され、当該継手２８に第１パイプ５が接続されていることを特徴とする。
【考案の効果】
【００１５】
請求項１記載の本考案に関する魚の糞等の自然落下式濾過水槽は、上槽の底板には小さな貫通孔が多数形成され、中槽は逆四角錐体状に形成されているので、魚の糞や残餌等は前記底板の貫通孔を通過した後、逆四角錐体状中槽の内部に自然落下（沈降）する。その際、残餌等は、逆四角錐体状で傾斜する中槽の内側面を滑るように降下し、最終的に下方に尖った中槽の下底部に集約され当該中槽から排出されるので、従来のような水槽をひっくり返して水を取り替え、更に水槽の内面をブラシ等で擦る等の掃除が著しく削減され、水槽で飼育する魚類の維持管理が大変楽である。また、上槽と中槽の製作に要する費用も低減されるので、経費の低減化にも寄与する。
【００１６】
請求項２記載の本考案に関する魚の糞等の自然落下式濾過水槽は、上槽の底板に上下方向に貫通する小さな貫通孔が多数形成され、逆四角錐体状中槽の下底部と下槽とが濾過装置を介して第１パイプで接続されていると共に、下槽内の循環ポンプに接続された第２パイプが上槽の上部に配設され、上槽の水中に存する魚の糞や残餌等は、底板の貫通孔を通過し自然落下され逆四角錐体状中槽の中央下底部の一箇所に集約されつつ、当該魚の糞や残餌等を含んだ水が、第１パイプ、濾過装置、下槽、第２パイプを通じて濾過され上槽内に注がれて水質が保持されるので、魚等が存する上槽内は常時きれいな水で維持され、魚等が生息しやすい好条件が実現されている。
【００１７】
よって、水槽が汚れることがないので、水槽の清掃作業が長期間不要で好都合な上、絶えず濾過された水の中で生息する魚類の維持管理を楽に行える。即ち、良好な水質を長期間維持できるから、飼育する者の手間や経費の節減にもなる。また、魚の糞や残餌などの酸化防止やアンモニア臭などの減少にも寄与する。さらに、濾過装置を含む下槽やパイプの構造も特殊ではなく設備費用の低廉も図られている。
【００１８】
請求項３記載の本考案に関する魚の糞等の自然落下式濾過水槽は、中槽が逆多角錐体状又は逆円錐体状に形成され、単体又は複数個の複合体で成るから、水槽（上槽）の大きさ・形状に応じて、中槽の大きさ・形状を決めたり、中槽の個数を増やして組合せて使用できる利便性に優れている。
【００１９】
請求項４記載の本考案に関する魚の糞等の自然落下式濾過水槽は、底板の貫通孔の開口上部が、魚の糞や残餌等を受けるに必要かつ十分な幅寸の円形状で、且つ下方に漸次幅狭く傾斜するテーパー状に形成されているので、自然落下してきた魚の糞や残餌等は、当該貫通孔のテーパー状開口上部に当接すると斜面を滑るように下方に誘導して落下され、程なく逆四角錐体状中槽の内部に自然落下するので、可及的多くの魚の糞や残餌等を中槽へと集められ、円滑な水槽（上槽）の濾過が達成される。また、この底板の貫通孔は下方が狭められているので、中槽内に降下した糞や残餌等が、万一逆流して上昇するようなことがあっても、当該貫通孔を下方からは進入し難く、水槽の濾過に万全が期されている。
【００２０】
請求項５記載の本考案に関する魚の糞等の自然落下式濾過水槽は、底板の上面の外周に内部磁石が固着されているから、必要に応じて、上槽の側壁を挟んで別設の外部磁石を前記底板の内部磁石に磁力で接合し所望方向に揺動すれば、底板が揺動して同底板に付着した汚れを分離し近くの貫通孔に落し込んで中槽へと導くことができ、このような手動で行える簡便さとコスト低減に寄与する。
【００２１】
請求項６記載の本考案に関する魚の糞等の自然落下式濾過水槽は、中槽の内側面に磁石付きクリーナーが配置され、そのクリーナーの磁石に磁力で接合された外部磁石が当該中槽の外側面に配置されているので、外部磁石を手で移動するだけでクリーナーが中槽の内側面を移動し、手を汚さずして中槽の内側面に付着した汚物や藻、苔等を簡単にクリーニングできて、至極便利である。
【００２２】
請求項７記載の本考案に関する魚の糞等の自然落下式濾過水槽は、中槽の下底部に開栓可能な継手が設置され、当該継手に第１パイプが接続されているため、上槽や中槽内の水を全部交換したいときには、この継手を開栓するだけで、一気に上槽や中槽内の水を排出でき、かかる排出作業を簡単かつ確実に行うことができる。
【考案を実施するための最良の形態】
【００２３】
請求項１〜７に係る魚の糞等の自然落下式濾過水槽は、観賞用や食用として大小の水槽内で飼育している各種の魚類やカニ、エビ、貝、イカ等が放出する糞便や、食べた餌の残りその他水中に存する汚れを、水中で自然に落下させて下方に集約させ、当該汚れた水は濾過され水槽に戻して水質が維持され、水槽の掃除や水の交換作業が著減された濾過水槽である。
【００２４】
この自然落下式濾過水槽は、観賞用や食用として、家庭や学校、ホテルや水族館その他の施設で設置される水槽や、飲食店に設置される水槽や生簀その他に広く使用可能であるが、本実施形態では、観賞魚として比較的小さな魚の飼育に好適な小型の自然落下式濾過水槽につき、図面に従いながら説明する。
【００２５】
魚の糞等の自然落下式濾過水槽の全体構造を示したのが図１である。
【００２６】
この自然落下式濾過水槽は、上部に配置されて魚を飼育する水槽である上槽１と、同上槽１の直下に連接され中部に設置された水槽の中槽２と、同中槽２より下方に設置された水槽の下槽３を備えている。中槽２と下槽３は、筐体ｋでそれらの外周が覆われていると共に、当該筐体ｋの上部では中槽２の上部外周と上槽１の下部が支持されており、上槽１のみが外部から見られる構造となっている。
【００２７】
上槽１は、透明なアクリル樹脂製の板材（厚さ６ｍｍ）で、幅寸６００ｍｍ、奥行４００ｍｍ、高さ５００ｍｍの大きさの四角形筒体状に形成され、上部及び下部が開口された水槽である。当該上槽１の下底部に、後述する底板１０を上方から受け止める係止板１５が設置されている。即ち、図５に示したように、係止板１５は、厚さが６ｍｍ、奥行が約２５ｍｍで前記上槽１の側壁１６の下底部内周を埋める長さで、内向きの水平状態で側壁１６の下底部内周に設置されている。
【００２８】
また、上槽１の下底部には、補強用の中張り材１７、１７’が設置されている。上槽１の長手方向の長さに略等しい中張り材１７と、上槽１の短手方向の長さに略等しい中張り材１７’とが、各々中央に形成された上・下向きの凹溝１７ａ、１７ａ’を嵌め合せて中央部で交差し溶着されている。そして、各中張り材１７、１７’の端部は、上槽１の前記係止板１５及び中槽の三角板２Ａ、２Ｂ（後述）と溶着されている（図６Ｂ参照）。
【００２９】
中槽２は、大小２種類の逆２等辺三角形の板材（厚さ６ｍｍ）が２枚ずつ、透明なアクリル樹脂で形成され、合計４枚の三角板２Ａ、２Ａ、２Ｂ、２Ｂが接合されて、全体として倒立したような逆四角錐体状に形成されている。図５Ａに示した大きい方の三角板２Ａは、前記上槽１の長手方向の下底部に接合されるもので、上方に位置される辺の長さが５８８ｍｍ、各斜辺の長さは５０７ｍｍである。図６Ａに示した小さい方の三角板２Ｂは、上槽１の短手方向の下底部に接合されるもので、上方に位置される辺の長さが３８８ｍｍ、各斜辺の長さは４０２ｍｍである。隣り合う各三角板２Ａ、２Ｂ、２Ａ、２Ｂの各斜辺２９、２９同士が溶着されており、かくして中槽２の高さは約２８０ｍｍぐらいとなる。
【００３０】
そして、各三角板２Ａ、２Ａ、２Ｂ、２Ｂの上部ｐは、斜辺２９の上部ｐと共に、前記係止板１５の下側及び側壁１６並びに中張り材１７、１７’と溶着され（アクリル同士の溶接）、よって、上槽１の下部と中槽２の上部ｐとが、水密状態を維持して強固に接続されている（図６Ｂ参照）。
【００３１】
図中符号２８は、前記中槽２の下底部２１に設置された継手を示しており、後述する第１パイプ５が接続され、同第１パイプ５が濾過装置４に注ぎ込まれる。この継手２８には栓２７が設けられていて、上槽１及び中槽２内の水７を全部取り替える等の場合に、前記栓２７を開けて一気に水７を抜くことができる。
【００３２】
なお、本実施形態の中槽２は、倒立したような逆四角錐体状に形成されているが、これに限定されるものではなく、上槽１の形状・大きさに応じて適宜形状・大きさを変更して実施することができる。例えば、上槽１が六角形筒体でなる場合は、それに接続できるように中槽２は、逆六角錐体状形成され、上槽１が円柱体でなる場合は、それに接続できるように中槽２は、逆円錐体状に形成する形態で好適に実施される。また、上槽１が生簀等の大きなものである場合、前記のような逆四角錐体状等の中槽１を単体にこだわって大きく新規に製作する必要はなく、上述したような比較的小型の中槽１を、複数個組み合せた複合体として使用することも好適に行われる（図示は省略）。
【００３３】
次に、上槽１の底板１０について説明する。図４Ａ、Ｂは、底板１０に形成された貫通孔１２を拡大して示している。
【００３４】
底板１０は、厚さ５ｍｍ、幅寸５８５ｍｍ、奥行３８５ｍｍの塩化ビニール製板材で、上下方向に貫通する円筒状の貫通孔１２・・・が多数形成されたパンチングが好適である。隣り合う貫通孔１２、１２同士は近接している。この貫通孔１２の開口上部１１（上半部）は、魚類８の糞９や残餌９’等を受けるに必要かつ十分な幅寸ｗとして、本実施形態ではｗ＝φ８ｍｍの円形状で、且つ下方に漸次幅狭く４５度の傾斜角度で傾斜するテーパー状に形成されている。貫通孔１２の下半部は垂直に開口され、下部開口の幅寸ｗ’＝φ５ｍｍの円形状に形成されている。なお、底板１０の上面１０ａには、適所に草や岩等の小物を載置してもよい。また、底板１０の下面に、補強材を取り付けて実施することも好適に行われる（図示は省略）。
【００３５】
前記底板１０の上面１０ａの外周に、内部磁石１４を複数固着する実施形態が好適である（図１、図２）。底板１０に付着した汚れを手動で簡便に振るい落すためである。使用方法は、上槽１の側壁１６を挟んで別設の外部磁石（図示は省略）を、前記底板１０の内部磁石１４と磁力で接合させ、外部磁石を左右方向に揺動すれば、それに従って底板１０が左右方向に揺動し、同底板１０に付着した汚れが下方の中槽１の内部２０へと振るい落される仕組みである。
【００３６】
また、前記中槽２の内側面２２に磁石２４付きクリーナー２５が配置されると共に、そのクリーナー２５の磁石２４に磁力で接合された外部磁石２６が、前記磁石２４付きクリーナー２５に対応する中槽２の外側面２３の位置に配置されている。これによれば、外部磁石２６を中槽２の外側面２３に沿って移動させることにより、クリーナー２５が中槽２の内側面２２を移動するので、手を汚さずに、中槽２の内側面２２に付着した汚れをクリーニングすることができる。
【００３７】
次に、下槽３及び濾過装置４について説明する。本実施形態では、濾過装置４は下槽３に組み込まれた形態となっている。
【００３８】
下槽３の中には、水中循環ポンプ３０が設置されており、この循環ポンプ３０に接続された第２パイプ６の先端が上槽１の上部１３に配設されている。よって、当該循環ポンプ３０が作動している通常の状態で、上槽１、中槽２内の水７は、第１パイプ５、濾過装置４、下槽３、第２パイプ６を通じて上槽１内に注がれて循環する構成となっている。
【００３９】
濾過装置４は、貫通孔４２を有する水平な仕切板４１を挟む形で、上方に位置する濾過室４０と下方に位置する貯溜室４３を備えている。濾過室４０の略中程に綿状のフィルター４７が取り付けられている。貯溜室４３には気泡を発生するエアーストーン４９（気泡分散器）が設置されている。また、図示を省略したエアーポンプが貯溜室４３の外に通常設置されている。さらに、貯溜室４３においては、下方が開放された垂直な上部仕切板４４があり、その外側に下槽３の下底面から立設する下部仕切板４５が設けられている。よって、貯溜室４３の上部仕切板４４の内側内に溜まった水７は、やがて上部仕切板４４の下方から外方へと移動し、一定量を超えると下部仕切板４５を乗り越えて下槽３内へと移る。なお、濾過室４０の上部には、図１に示したように、オーバーフロー用の緊急時に排出可能なパイプ４６が設けられ、そのパイプ４６の先端は下槽３内に到達されている。
【００４０】
ところで、上述した中槽２の継手２８に接続された第１パイプ５（φ＝１３ｍｍ）は、図１中符号Ｌ−１で示した上槽１の水面のレベル位置まで持ち上げるように配置された後、その先端が前記濾過装置４の濾過室４０内へと注ぎ込まれるように配設されている。濾過室４０内へ導かれた第１パイプ５の先端は、図２に示したような通孔５１を有する水平パイプ５０に接続されている。その水平パイプ５０の下方にフィルター４７が設けられている。
【００４１】
なお、図中符号５’は、上槽１内の水７のオーバーフーロー用の補助パイプ（φ＝３０ｍｍ）を示している。その上端は前記上槽１の水面のレベル位置Ｌ−１に配置され、下端が前記第１パイプ５と同様に、濾過装置４の濾過室４０内へと注ぎ込まれるように配設されている（図１、図２）。
【００４２】
以下に、当該自然落下式濾過水槽における水７の循環要領について説明する。
【００４３】
上槽１の水７の中に存する魚類８の糞９や残餌９’等は、水中を自然落下すると、上槽１の底板１０の貫通孔１２・・・を通過し、直下に位置する逆四角錐体状中槽２の内部２０を更に自然落下し、同中槽２の中央下底部２１の一箇所に集約されていく。
【００４４】
すると、前記魚類８の糞９や残餌９’等を含んだ水７が、第１パイプ５に吸込まれる。この第１パイプ５の口径は比較的小さいので吸込みがよくて流量が多く、前記糞９や残餌９’等を含んだ水７は、スムーズに上槽１の水面レベルまで上昇した後に降下し、濾過装置４内へと導かれる。このとき、上槽１の水７の上面が、図１中符号Ｌ−１とＬ−２で示した第１パイプ５内にあるとき、第１パイプ５内の水７は循環し続ける。上槽１の水７の上面が、Ｌ−２で示した位置より下方にあるときは、第１パイプ５内の水７は循環しない。水７を上槽１内に補充してやればよい。その一方、上槽１の水７の上面が、Ｌ−１で示した位置より上方にあるときは、第１パイプ５内の水７は循環するが、上槽１内の水７は、補助パイプ５’へと注ぎ込まれるため、上槽１から外部にあふれ出すことがない。
【００４５】
濾過装置４内へと導かれた水７は、まず濾過室４０内で水平パイプ５０の通孔５１からシャワー状に噴射され、直下のフィルター４７を通過し濾過される。しかる後、仕切板４１の貫通孔４２を通過され下方の貯溜室４３内で貯溜される。ここで、貯溜室４３内のエアーストーン４９から発生されている気泡（エアー）は、貯溜室４３内の水７を通過して上昇し、更に濾過室４０内の水７を通過して上昇し、フィルター４７の内部を上昇して通過する。これによって、フィルター４７に生じる目詰りが可及的に防止され、濾過機能が維持される。このとき、貯溜室４３は、上部仕切板４４と下部仕切板４５で仕切られているため、エアーストーン４９から発生される前記気泡（エアー）が下槽３内へ直接行かない。そのため、下槽３内の循環ポンプ３０に気泡が入り込み同ポンプ３０に負荷がかかって故障するのが防止される。また、気泡が入り込んだ場合に上槽１内で乱水流が発生するのも効果的に防止され、上槽１が観賞用として見やすい好条件を保持できる。
【００４６】
かくして貯溜室４３内の水７は、下部仕切板４５を乗り越える形で下槽３内へと導かれ、同下槽３内の水中循環ポンプ３の吸入口３０ａから吸入されると、当該循環ポンプ３により第２パイプ６を通じて一気に上昇され、上槽１の上部１３から内部へ、濾過されたきれいな水７として注ぎ込まれる。この濾過水槽では、これらの過程の繰り返しによる水７の循環が維持されている。
【図面の簡単な説明】
【００４７】
【図１】魚の糞等の自然落下式濾過水槽の内部構造を示した全体正面図である。
【００４８】
【図２】魚の糞等の自然落下式濾過水槽の内部構造を示した全体側面図である。
【００４９】
【図３】上槽と中槽を示した概念図である。
【００５０】
【図４】Ａ、Ｂは底板の貫通孔を拡大して示した平面図と断面図である。
【００５１】
【図５】Ａ、Ｂは中槽の取り付け要領を示した正面図と平面図である。
【００５２】
【図６】Ａ、Ｂは中槽の取り付け要領を示した側面図と部分拡大図である。
【符号の説明】
【００５３】
１        上槽
１０      底板
１２      貫通孔
１３      上部
１４      内部磁石
２        中槽
２０      内部
２１      下底部
２２      内側面
２３      外側面
２４      磁石
２５      クリーナー
２６      外部磁石
２８      継手
３        下槽
３０      循環ポンプ
４        濾過装置
４０      濾過室
４７      フィルター
５        第１パイプ
６        第２パイプ
７        水
８        観賞魚
９        糞
９’      残餌
【図１】
0003129969.tif 000003
【図２】
0003129969.tif 000004
【図３】
0003129969.tif 000005
【図４】
0003129969.tif 000006
【図５】
0003129969.tif 000007
【図６】
0003129969.tif 000008